【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
コンベアシステムにおいて、
第１幅に制限された多数の導電性物品を搬送する第１コンベアと；
前記第１コンベアから前記多数の導電性物品を受ける連続搬送面であって、前記第１コンベアから搬送方向に延在する連続搬送面と；
前記連続搬送面上で前記第１幅からより広い第２幅へ前記多数の導電性物品を広げる手段と；
前記連続搬送面から前記第２幅へ広げた前記多数の導電性物品を受ける第２コンベアと；
を具え、
前記広げる手段が、前記第１コンベア近くの上流側端部と前記第２コンベアにより近い下流側端部との間を前記連続搬送面に沿って移動する電磁波を生成するように構成されたリニアモータ固定子を具え、
前記電磁波が、当該電磁波と作用する場を前記導電性物品に作る渦電流を誘発し、前記導電性物品に対して力を生成して、前記多数の導電性物品が前記連続搬送面の幅にわたって広がり且つ前記第２コンベアに向かって進むにつれて、前記導電性物品を前記連続搬送面に沿って押し出すことを特徴とするコンベアシステム。
【請求項２】
請求項１に記載のコンベアシステムにおいて、
前記広げる手段が更に、前記連続搬送面の幅にわたって間隔を開けて配置され、前記第１コンベア近くの第１幅から前記第２コンベアにより近い第２幅へと広がっているサイドレール対を具えることを特徴とするコンベアシステム。
【請求項３】
請求項１に記載のコンベアシステムにおいて、
前記広げる手段が更に、前記固定子の方向を変え、前記連続搬送面の幅にわたって前記電磁波を往復させる、前記リニアモータ固定子に連結された回転駆動装置を具えることを特徴とするコンベアシステム。
【請求項４】
請求項３に記載のコンベアシステムが更に、前記連続搬送面の幅にわたって、間隔を開けて配置されて前記第１コンベア近くの上流側端部から前記第２コンベアにより近い下流側端部に延在するサイドレール対を具え、前記サイドレール対の方向が、前記リニアモータ固定子の方向によって変わることを特徴とするコンベアシステム。
【請求項５】
請求項４に記載のコンベアシステムにおいて、前記サイドレール対が前記回転駆動装置に機械的に連結されていることを特徴とするコンベアシステム。
【請求項６】
請求項４に記載のコンベアシステムにおいて、前記サイドレール対が前記回転駆動装置に磁気的に連結されるとともに、前記方向が変化すると前記連続搬送面に乗るローラを有することを特徴とするコンベアシステム。
【請求項７】
請求項１に記載のコンベアシステムにおいて、
前記広げる手段が更に、前記多数の導電性物品が前記連続搬送面の幅にわたって広がるとき、前記搬送方向に対して横向きに前記連続搬送面を往復移動させ、前記連続搬送面の幅にわたって前記多数の導電性物品を広げる駆動装置を具えることを特徴とするコンベアシステム。
【請求項８】
請求項７に記載のコンベアシステムにおいて、前記連続搬送面がデッドプレート上に設けられていることを特徴とするコンベアシステム。
【請求項９】
請求項７に記載のコンベアシステムにおいて、前記連続搬送面が前記搬送方向に対して横向きに往復移動可能なコンベアベルト上に設けられていることを特徴とするコンベアシステム
【請求項１０】
請求項１に記載のコンベアシステムにおいて、
前記リニアモータ固定子が、前記第１コンベア近くの上流側端部から前記第２コンベアにより近い下流側端部に、前記連続搬送面に沿って広がる束線を有する電磁束パターンを生成するように構成された複数の非線形ポールを有し；
前記電磁束パターンが、当該電磁束パターンと作用する場を前記導電性物品に作る渦電流を誘発し、前記束線の方向に前記導電性物品に対して力を生成して、前記連続搬送面の幅にわたって前記導電性物品を広げながら、前記導電性物品を下流側コンベアに向けて進めることを特徴とするコンベアシステム。
【請求項１１】
請求項１に記載のコンベアシステムが更に、前記連続搬送面の反対側に沿ってそれぞれが配置された曲がったサイドレール対と、前記第２コンベアに向かって前記サイドレールを選択的に移動させて、取り残されている前記導電性物品を前記連続搬送面から前記第２コンベア上へと押し出す、前記サイドレール対に連結されたアクチュエータとを具えていることを特徴とするコンベアシステム。
【請求項１２】
請求項１に記載のコンベアシステムが更に、前記連続搬送面の反対側に沿ってそれぞれ配置された、広がったサイドレール対を具えており、前記連続搬送面が、前記第１コンベアにより近い狭い端部から、前記第２コンベアにより近いより広い端部へと広がっていることを特徴とするコンベアシステム。
【請求項１３】
コンベアへ、またはコンベアから導電性物品を移動させるための搬送デバイスにおいて、
第１端部から第２端部へ搬送方向に縦に延在し、第１側部から第２側部へ幅方向に横に延在する上面を有するデッドプレートと；
前記デッドプレート上面の下に配置され、前記上面を通る電磁波を生成し、前記上面に支持されている導電性物品に渦電流を誘発するリニアモータ固定子と；
を具え、
前記渦電流が、前記電磁波と作用する場を前記導電性物品に作り、前記デッドプレート上面にわたって前記導電性物品を導く力を生成すること特徴とする搬送デバイス。
【請求項１４】
請求項１３に記載の搬送デバイスが更に、前記デッドプレートに対する前記固定子の方向を変える、前記リニアモータ固定子またはデッドプレートに連結された駆動装置を具えることを特徴とする搬送デバイス。
【請求項１５】
請求項１３に記載の搬送デバイスにおいて、前記リニアモータ固定子が、前記デッドプレートの前記第１端部から前記第２端部へと広がる方向に束線を有する電磁束パターンを生成するように構成された複数の非線形ポールを具えることを特徴とする搬送デバイス。
【請求項１６】
缶を広げる方法において、
第１コンベア上で、第１幅に制限された多数のアルミ缶を搬送するステップと；
前記第１コンベアから連続搬送面に前記多数のアルミ缶を送り込むステップと；
より広い第２幅を有する第２コンベア上に、前記連続搬送面から前記多数のアルミ缶を受けるステップと；
前記多数のアルミ缶が前記第２コンベアに向けて進むにつれて、前記連続搬送面上の多数のアルミ缶を電磁波にさらして、前記第１幅から前記第２幅へ前記アルミ缶を広げるステップと；
を具えることを特徴とする方法。
【請求項１７】
請求項１６に記載の方法において、一端が開いたアルミ缶を、その開口端を下にして搬送するステップを具えることを特徴とする方法。
【請求項１８】
請求項１６に記載の方法において、前記連続搬送面上の多数のアルミ缶を、固定子から前記連続搬送面上の多数のアルミ缶までのリニア誘導により、前記電磁波にさらすステップを具えることを特徴とする方法。
【請求項１９】
請求項１８に記載の方法において、前記固定子を前後に往復させて広がる電磁場を生成し、前記多数のアルミ缶を広げるステップを具えることを特徴とする方法。
【請求項２０】
請求項１８に記載の方法が、広がる方向に複数の固定子を配置して広がる電磁波を生成し、前記多数のアルミ缶を広げるステップを具えること特徴とする方法。
【請求項２１】
請求項１６に記載の方法が更に、前記第１幅よりも大きな第３幅を有する第２コンベア上に、前記連続搬送面から前記広がった多数のアルミ缶を受けるステップを具えることを特徴とする方法。
【請求項２２】
請求項１６に記載の方法が更に、前記第１コンベア上のアルミ缶からの背圧により、広がるサイドレール対間で前記多数のアルミ缶を広げるステップを具えることを特徴とする方法。